(57)【要約】【課題】ホログラム反射模様光を利用して、周囲に彩色鮮やかで幻想的な雰囲気をかもし出すホログラム照明方法を提供すること。【解決手段】照明灯１４を囲うフレームカバー２０，２２を使用し、その内部にホログラム模様の付いた反射面シート１０を配置させ、その照明灯の照射により反射したホログラム模様光が対向側で観賞されるようにする。【選択図】図１
2006114298.tif 000002
【特許請求の範囲】
【請求項１】
照明灯を囲うフレームカバーを使用し、その内部にホログラム模様の付いた反射面シートを配置させ、その照明灯の照射により反射したホログラム模様光が対向側で観賞されるようにしたことを特徴とする、ホログラム照明方法。
【請求項２】
請求項１に記載の方法を実施するために使用されることを特徴とする、照明灯のフレームカバーとホログラム模様の付いた反射面シートの組み合わせ。
【請求項３】
請求項１に記載の方法を実施するために使用されることを特徴とする、ホログラム模様の付いた反射面シート。
【請求項４】
台紙にホログラムホイル、フィルム又はシートを貼り着したもの或いは直接ホログラム印刷したものを透明、柔軟で耐熱性のある袋状ホルダーに挿入して保持したものであることを特徴とする、請求項３に記載されたホログラム模様の付いた反射面シート。
【発明の詳細な説明】
【技術分野】
【０００１】
本発明は、主に卓上、例えばホテル、レストラン、家庭などの食卓上、ベッド近くの卓上或いは壁上に適用されるホログラム照明方法に関し、詳しくはホログラム模様面の反射光を観賞するようにしたホログラム照明方法に関する。
【背景技術】
【０００２】
従来例として、ローソク、電灯、蛍光灯など照明灯とこれを支持して囲う外装カバー（フレームカバー)とからなる照明器具が知られ、明かりはこのような照明灯の固有照明光のみに依存していた。従って、他の色彩、例えばほんのりした緑のただよう雰囲気をかもしだすためには、例えば葬儀式場に見られるように、外装カバーに適当な素材を選んで彩色したカラーデザインを施している。
【０００３】
ローソクを囲うフレームカバーにおいてその周側面の少なくとも１つの内面を鏡面にしてローソク光を反射させて観賞するようにした照明器具が知られている（例えば、特許文献１参照。）
ホログラムを利用したもので、照明器具ではなく、観賞用水槽が知られている（例えば、特許文献２参照）。これは、水槽容器と、この水槽容器内に配された光を拡散するホログラムとこのホログラムの両面側に積層されてホログラムを保護する透明板とからなるスクリーンと、水槽容器の近傍に備えられていてホログラムに向けて光を照射する光源とからなっている。
【０００４】
【特許文献１】米国特許第５，２６２，９２９号（図１）
【特許文献２】特開平８−２６６１８６号公報（図１）
【発明の開示】
【発明が解決しようとする課題】
【０００５】
本発明の課題は、ホログラム反射模様光を利用して、周囲に彩色鮮やかでオーロラのような幻想的な雰囲気をかもし出すホログラム照明方法を提供することである。
【課題を解決するための手段】
【０００６】
前記した課題は、照明灯を囲うフレームカバーを使用し、その内部にホログラム模様の付いた反射面シートを配置させ、その照明灯の照射により反射したホログラム模様光が対向側で観賞されるようにしたことで、解決される。
【発明の効果】
【０００７】
本発明では、ローソクに火をつけたとき又は豆電球など照明灯を点灯とき、その光が中空のフレームカバーの内部に配置された反射シートに映るホログラム模様面に照射して、その反射模様光が対向側に赤、緑などの雲のように発散ただよわしているように観賞され、少し暗がりの場所などで使用すれば、周囲により鮮明で彩色豊かにオーロラのように幻想的な雰囲気ないし癒しでもって気分を和らげる。
【発明を実施するための最良の形態】
【０００８】
上方が開口した透明で中空の円筒状などの照明灯を囲うフレームカバーを使用して、その内部にホログラム模様の付いた反射面シートを配置させ、その照明灯の点灯により反射したホログラム模様光が対向側で観賞されるようにする。
【実施例】
【０００９】
図１に示すように、上方が開口した透明の円筒状でローソク１４を囲うフレームカバー２０を使い、その周囲壁部一部の内面に沿うようにしてホログラム模様の付いた反射面シート１０を配置させる。これによりローソクの点灯により反射したホログラム模様光が対向側で観賞されるようにする。なお、図面ではホログラム模様は一部のみ略して示されている。
【００１０】
この実施例方法において、フレームカバー２０は透明のものが好ましい。また、周囲壁部に網目、パンチ穴などの付いたフレームカバーでもよく、ここで透明とは外部より内部が透視できるものも含む。図示例のものは、底つきであるが底なしのものでもよい。外形は円、四角、多角形であってもよい。照明灯を用いるため、フレームカバーはガラス、硬質プラスチック、金属など耐熱性、難燃性の材質が好ましい。
【００１１】
ホログラム模様の付いた反射面シート１０は、台紙にホログラムホイル、フィルム又はシートを貼り着したものでもよいが、直接ホログラム印刷したものでもよい。このような反射面シートは照明灯１４に直接対向して使用されるので、図２に例示するように、台紙にホログラムホイル、フィルム又はシートを貼り着したもの或いは直接ホログラム印刷したもの１０ｆを透明、柔軟でプラスチックなどの耐熱性袋状シートホルダー１０ｂに挿入して保持したもの１０が好ましい。
【００１２】
図３は他の実施例を示した平面図である。
上方が開口し周側部が透明の略立方体のフレームカバー２２の内部に、仕切り壁のように、両面にそれぞれホログラム模様の付いた反射面シート１０が配置されており、ローソク１４ａに直近した２つの側面を介してホログラム模様光が観賞され、さらにローソク１４ｂに直近した他の２つの側面を介してホログラム模様光が観賞される。例えば、レストランなどのテーブルでは一方側にのみローソク１４ａを使い、他方側ではローソク１４ｂを置かず、勘定表などの物いれとして使える。
【００１３】
図４は別の実施例で示した斜視図である。
ここでは周囲壁４つの側面が網目が付いたプラスチック成形のフレームカバーが使われており、その２つの隣接した内側面に沿ってまた隅角部を介してホログラム模様の付いた反射面シートがうまく折れ曲がって配置されており、それぞれの対向側で反射したホログラム模様光が観賞される。なお、上端梁にフックが設けられているので、壁に掛けることも可能である。この場合、ローソクは固定されるよう、図示しないがこれを収容する凹状固定具を設けるのが好ましい。
【００１４】
本発明に使用される照明灯として、不規則にゆらめく点で興趣のある反射模様が得られるローソクが好ましいが、これに限らず、固形又は液体燃料、ペンライトなどでもよい。
【図面の簡単な説明】
【００１５】
【図１】１実施例を示した見取り図。
【図２】ホログラム模様の付いた反射面シートの例示図。
【図３】他の実施例を示した平面図。
【図４】さらに別の実施例を示した斜視図。
【符号の説明】
【００１６】
１０            ホログラム模様の付いた反射面シート
１４            ローソク
２０，２２      フレームカバー
【図１】
2006114298.tif 000003
【図２】
2006114298.tif 000004
【図３】
2006114298.tif 000005
【図４】
2006114298.tif 000006
【手続補正書】
【提出日】平成17年2月2日(2005.2.2)
【手続補正１】
【補正対象書類名】明細書
【補正対象項目名】０００７
【補正方法】変更
【補正の内容】
【０００７】
本発明では、ローソクに火をつけたとき又は豆電球など照明灯を点灯とき、その光が中空のフレームカバーの内部に配置された反射シートに映るホログラム模様面に照射して、その反射模様光が対向側に赤、緑などの雲のように発散ただよわしているように観賞され、少し暗がりの場所などで使用すれば、周囲により鮮明で彩色豊かにオーロラのように幻想的な雰囲気ないし癒しでもって気分を和らげる。
本発明による反射シートはフレームカバー内に取替え可能であるので、いろいろあるホログラム模様を任意に取替えてその反射光を観賞できる。また、周囲に他の照明灯がないような暗がりでは、ホログラム模様がフレームカバーを透光して反対側にもほんのり映る場合がある。
【手続補正２】
【補正対象書類名】明細書
【補正対象項目名】００１３
【補正方法】変更
【補正の内容】
【００１３】
図４は別の実施例で示した斜視図である。
図４−１について、ここでは周囲壁４つの側面が網目が付いたプラスチック成形のフレームカバーが使われており、その２つの隣接した内側面に沿ってまた隅角部を介してホログラム模様の付いた反射面シートがうまく折れ曲がって配置されており、それぞれの対向側で反射したホログラム模様光が観賞される。なお、上端梁にフックが設けられているので、壁に掛けることも可能である。この場合、ローソクは固定されるよう、図示しないがこれを収容する凹状固定具を設けるのが好ましい。
図４−２において、上方が開口した透明立方体のフレームカバー２４が示されており、このようなカバーはアクリルなどの硬質プラスチックにより成形可能である。この図上方に示されている反射面シート１０（ホログラム模様は図示せず）はＬ型２面硬質シートからなり、その内面又は外面にホログラム模様が施される。図示例のようにこの反射面シート１０をカバー２４の隅各部を介して内接して配置し、照明灯を灯せば、反射面シート１０の対向側又は開口部を介してホログラム模様光が観賞される。
なお、カバー２４の正面部に削除溝２４ｓが設けられ、カバー２４の底面上に照明灯としてローソク１４ｃがそのまま又は図示しない凹部を設けた台座（ホルダー）を介して固定されるとき、この溝より空気が導入され、ローソク光の揺らぎを促す。ローソクに代えて小型電球１４ｅも使用可能であり、その配線コードが削除溝２４ｓを介して電源に接続可能となる。削除溝は１つに限らず、他の面部にも設けてよい。また、フレームカバーは立方体に限らず、直方体でもよい。
【手続補正３】
【補正対象書類名】図面
【補正対象項目名】全図
【補正方法】変更
【補正の内容】
【図１】
2006114298.tif 000007
【図２】
2006114298.tif 000008
【図３】
2006114298.tif 000009
【図４−２】
2006114298.tif 000010
【図４−１】
2006114298.tif 000011